(57)【要約】【課題】敷設時のズレを抑える。【解決手段】ペットシーツ１の底部を、底部シート２１で形成し、底部シート２１を、一体化された不織布２２と防水フィルム２３で構成する。底部シート２１の不織布２２を下面側にして配置し、不織布２２によってペットシーツ１の底面２４側の外面を構成する。底部シート２１上に、ホットメルト３１を介して吸収体１２を設け、吸収体１２上に、ホットメルト５１を介して不織布５３を設ける。ホットメルト５１を熔解してから固化し、不織布５３を吸収体１２に固定するとともに、不織布５３の外周部を底部シート２１に固定する。【選択図】          図２
2004187597.tif 000002
【特許請求の範囲】
【請求項１】
吸収体を備えたシーツ本体の底面を、防水性を有したフィルムと不織布とが重ねて一体形成されてなる底部シートで構成するとともに、該底部シートの前記不織布を下面側に配置し、該不織布で少なくとも底面側の外面を構成したことを特徴とするペットシーツ。
【請求項２】
前記底部シートの前記不織布に係脱自在に係合する面ファスナー部が設けられたテープを備え、
該テープの裏面に粘着性を有する粘着部を設けたことを特徴とする請求項１記載のペットシーツ。
【請求項３】
ペットシーツの下部に配設されるペット用マットであって、単独で形状維持可能な材質からなるベースと、該ベースの上部に設けられた粘着性を有する粘着部とからなることを特徴としたペット用マット。
【請求項４】
前記粘着部を、ウレタン系粘着剤で形成したことを特徴とする請求項３記載のペット用マット。
【請求項５】
前記ベースを発泡材で構成するとともに、該ベースと前記粘着部との間にアルミ蒸着層を形成したことを特徴とする請求項３又は４記載のペット用マット。
【発明の詳細な説明】
【０００１】
【発明の属する技術分野】
本発明は、ペットの排泄物を処理するペットシーツ及びペットシーツの下部に配設されるペット用マットに関する。
【０００２】
【従来の技術】
従来、室内で飼育するペットの排泄物を処理する際には、ペットシーツが用いられていた。
【０００３】
このペットシーツは、水分を吸収する吸収体を備えており、底面は、防水のフィルムで構成されていた。
【０００４】
【発明が解決しようとする課題】
しかしながら、このようなペットシーツにあっては、排泄された尿を吸収する構造上、底面が防水のフィルムで構成されており、滑りやすかった。
【０００５】
このため、使用時にズレが生じやすく、所定箇所に広げて敷設しても片寄ってしまい、ペットシーツによる効果を得られないことがあった。
【０００６】
本発明は、このような従来の課題に鑑みてなされたものであり、敷設時のズレを抑えることができるペットシーツ及びペット用マットを提供することを目的とするものである。
【０００７】
【課題を解決するための手段】
前記課題を解決するために本発明の請求項１のペットシーツにあっては、吸収体を備えたシーツ本体の底面を、防水性を有したフィルムと不織布とが重ねて一体形成されてなる底部シートで構成するとともに、該底部シートの前記不織布を下面側に配置し、該不織布で少なくとも底面側の外面を構成した。
【０００８】
すなわち、吸収体で吸収保持された水分は、底部シートのフィルムによって外部への漏れが抑えられる。
【０００９】
また、この底部シートは、不織布が下面側に配置されており、底面側の外面が不織布で形成されている。このため、底面側の外面が防水のフィルムで形成された場合と比較して、敷設時の滑りが防止される。
【００１０】
また、請求項２のペットシーツにおいては、前記底部シートの前記不織布に係脱自在に係合する面ファスナー部が設けられたテープを備え、該テープの裏面に粘着性を有する粘着部を設けた。
【００１１】
すなわち、ペットシーツの底面側の外面は不織布で形成されており、この底面へのテープの面ファスナー部の固定が可能となる。このため、このテープの貼着部を対象箇所に貼着することで、これらを用いた当該ペットシーツの固定が可能となる。
【００１２】
そして、本発明の請求項３のペット用マットにおいては、ペットシーツの下部に配設されるペット用マットであって、単独で形状維持可能な材質からなるベースと、該ベースの上部に設けられた粘着性を有する粘着部とからなる。
【００１３】
すなわち、例えばペット用トレイにペットシーツを敷設する際には、ペット用トレイの底面にペット用マットを載置し、このペット用マットの粘着部上にペットシーツを広げて敷設する。すると、該ペットシーツは、前記粘着部に貼着された状態で、横滑りが防止される。
【００１４】
このとき、前記粘着部は、単独で形状維持可能な材質からなるベースに設けられている。このため、ペットが前記ペットシーツ上で動いた場合であっても、ペットシーツを広げた状態が維持される。
【００１５】
また、請求項４のペット用マットにあっては、前記粘着部を、ウレタン系粘着剤で形成した。
【００１６】
すなわち、ウレタン系粘着剤は、対象物の貼着と剥離を繰り返し行える性質を有しており、このウレタン系粘着剤で形成された粘着部へは、ペットシーツの貼着剥離を繰り返し行うことができる。このため、使用後のペットシーツは、ペット用マットから取り外され、新しいペットシーツが取り付けられる。
【００１７】
さらに、請求項５のペット用マットでは、前記ベースを発泡材で構成するとともに、該ベースと前記粘着部との間にアルミ蒸着層を形成した。
【００１８】
すなわち、発泡材で構成されたベースによって保温性が高められ、アルミ蒸着層により、ペットからの放射熱が反射される。
【００１９】
【発明の実施の形態】
（第１の実施の形態）
【００２０】
以下、本発明の第１の実施の形態を図に従って説明する。図１は、本実施の形態にかかるペットシーツ１を示す図であり、該ペットシーツ１は、室内で飼育するペットの排泄物の処理用に使用されるものである。
【００２１】
このペットシーツ１は、正方形のシーツ本体１１からなり、該シーツ本体１１内には、正方形の吸収体１２が設けられている。この吸収体１２は、前記シーツ本体１１の中心部に配置されており、当該吸収体１２の外周部には、所定幅の押さえ代１３が枠状に形成されている。これにより、バックル等を備えた専用のペット用トレイを使用する場合には、ペットシーツ１の外周部分を形成するとともに、前記吸収体１２を不具備な前記押さえ代１３をバックルで押さえて固定できるように構成されている。
【００２２】
図２は、前記ペットシーツ１の要部の断面構造を示す模式図である。このペットシーツ１は、底部が底部シート２１によって形成されており、該底部シート２１は、不織布２２と、該不織布２２上に重ねて設けられた防水フィルム２３とによって構成されている。該防水フィルム２３は、防水性を有するポリエチレンによって形成されており、この防水フィルム２３と前記不織布２２とは一体化されている。この底部シート２１は、前記不織布２２を下面側に配置した状態で使用されており、この不織布２２によって当該ペットシーツ１の底面２４側の外面が構成されている。
【００２３】
前記底部シート２１上には、線状に設けられたホットメルト３１，・・・を介して、前記吸収体１２が設けられており、前記ホットメルト３１，・・・が熔解された後、固化されることによって、前記吸収体１２が前記底部シート２１上に固定されている。
【００２４】
前記吸収体１２の底部は、キャリアティッシュ４１で形成されており、該キャリアティッシュ４１は、その周囲部４２が上方に折り曲げられている。このキャリアティッシュ４１の内側には、水分を吸収するパルプ層４３と、水分を吸収して保持する吸水ポリマー４４と、水分が通過するトップティッシュ４５とが下から順に積層されており、該トップティッシュ４５によって上部が閉鎖されている。
【００２５】
この吸収体１２の上部には、ファイバーからなるシート状のホットメルト５１と、ペットシーツ１の上面５２を形成する不織布５３とが下から順に積層されており、該不織布５３の外周部は、前記ホットメルト５１を介して前記底部シート２１に面接されている。これにより、前記ホットメルト５１が熔解された後、固化されることによって、前記不織布５３が吸収体１２に固定されるとともに、前記不織布５３の外周部が前記底部シート２１に固定されており、図１に示したように、外周部に前記押さえ代１３を有するシーツ本体１１が形成されている。
【００２６】
そして、このペットシーツ１には、固定用のテープ６１が付属されている。このテープ６１は、図２に示したように、粘着部である粘着層６２と、該粘着層６２上に積層された面ファスナー部６３とによって形成されており、前記粘着層６２には、剥離自在な剥離紙６４が貼着されている。前記面ファスナー部６３は、上面６５に細かなフック形状のフック部が多数形成されており（図示省略）、これらが前記底部シート２１の不織布２２に係脱自在に係合することによって、当該テープ６１を前記底部シート２１に剥離自在に貼着できるように構成されている。また、前記粘着層６２は、粘着性を有しており、当該テープ６１をプラスチック製のペット用トレイ等に貼着できるように構成されている。
【００２７】
以上の構成にかかる本実施の形態において、このペットシーツ１上でペットが排尿した際には、その水分を吸収体１２で吸収して保持することができる。このとき、吸収体１２下部に設けられた底部シート２１は、その上面が防水フィルム２３で形成されている。このため、前記水分は、この底部シート２１の前記防水フィルム２３によって外部への漏れが防止が防止される。
【００２８】
また、この底部シート２１は、不織布２２が下面側に配置されており、ペットシーツ１の底面２４側の外面が前記不織布２２で形成されている。このため、底面２４側の外面が防水フィルム２３で形成された場合と比較して、敷設時の滑りが抑制される。
【００２９】
このように、吸収体１２で吸収保持した水分の漏れを防止しつつ、敷設時の滑りを抑制することができる。したがって、使用時の不用意なズレを抑えることができ、当該ペットシーツ１による効果を十分に発揮することができる。
【００３０】
一方、このペットシーツ１には、固定用のテープ６１が付属されており、このテープ６１を使用して、ペットシーツ１をペット用トレイに固定する際には、前記テープ６１を適切な長さに切断するとともに、テープ６１の面ファスナー部６３を、ペットシーツ１の底面２４を構成する前記不織布２２に固定する。そして、このテープ６１から剥離紙６４を剥離して粘着層６２を露出した後、該粘着層６２をペット用トレイに貼着する。これにより、前記ペットシーツ１をペット用トレイ上に広げた状態で固定することができる。
【００３１】
このように、前記ペットシーツ１の底面２４は、不織布２２で構成されているため、当該底面２４への面ファスナー部６３の固定が可能となる。このため、前述したように、当該ペットシーツ１を平滑なペット用トレイ上に固定することができる。
【００３２】
よって、底面２４が面ファスナーを固定することができない防水フィルム２３で構成された従来と比較して、固定性を高めることができる。
【００３３】
【００３４】
（第２の実施の形態）
【００３５】
以下、本発明の第２の実施の形態を図に従って説明する。図３は、本実施の形態にかかるペット用マット１０１を示す図であり、該ペット用マット１０１は、ペットシーツ１０２の下部に配設されて使用されるものである。
【００３６】
このペットシーツ１０２は、ペットの排泄物を処理するシーツであり、矩形状のシーツ本体１１１と、該シーツ本体１１１内に収容された吸収体１１２とによって形成されている。該吸収体１１２は、吸水ポリマーを備えており、ペットの尿を吸収して保持するように構成されている。また、前記シーツ本体１１１の底部側の外面は、防水性を有した防水フィルム１１３で形成されており、吸収体１１２で吸収した水分が漏れないように構成されている。
【００３７】
前記ペット用マット１０１も矩形状に形成されており、上面に前記ペットシーツ１０２を載置した状態で固定できるように構成されている。
【００３８】
すなわち、ペット用マット１０１は、図４に示すように、ベース１２１を中心に構成されている。該ベース１２１は、板状に形成された発泡材である発泡ポリエチレンからなり、当該ベース１２１単独で、その形状を維持できるように構成されている。このベース１２１の上面及び下面には、アルミニュームが蒸着されており、アルミ蒸着層１２２，１２２が全面に渡って積層されている。両アルミ蒸着層１２２には、無色透明のＰＥＴフィルム１２３が全面に渡って積層されており、前記アルミ蒸着層１２３は、ＰＥＴフィルム１２３で被覆保護されている。
【００３９】
両ＰＥＴフィルム１２３には、無色透明の粘着層１２４が全面に渡って積層されている。この粘着層１２４は、ウレタン系粘着剤で形成されており、対象物であるペットシート１０２底面の防水フィルム１１３に貼着剥離を繰り返し行えるように構成されている。そして、各粘着層１２４，１２４には、無色透明の剥離フィルム１２５，１２５が全面に渡って積層されており、該剥離フィルム１２５，１２５を剥離することで、前記粘着層１２４，１２４を露出できるうように構成されている。
【００４０】
以上の構成にかかる本実施の形態において、底面が平滑なペット用トレイにペットシーツ１０２を敷設する際には、ペット用マット１１１下面側の剥離フィルム１２５を剥離して下面側の粘着層１２４を露出するとともに、この粘着層１２４をペット用トレイの底面に貼着する。次に、上面側の剥離フィルム１２５を剥離して上面側の粘着層１２４を露出するとともに、この粘着層１２４上に前記ペットシーツ１０２を広げて敷設する。すると、このペットシーツ１０２は、前記粘着部１２４に貼着された状態で固定され、横滑りを防止することができる。
【００４１】
このとき、前記粘着部１２４は、単独で形状維持可能な材質である発泡ポリウレタン製のベース１２１に設けられている。このため、ペットが前記ペットシーツ１０２上で動いた場合であっても、ペットシーツ１０２を広げた状態に維持することができる。
【００４２】
したがって、ペットシーツ１０２の使用時の不用意なズレを防止することができ、ペットシーツ１０２による効果を十分に発揮することができる。
【００４３】
そして、前記粘着層１２４は、対象物との貼着及び剥離を繰り返し行える性質を有したウレタン系粘着剤で形成されており、前記ペットシーツ１０２の貼着剥離を繰り返し行うことができる。このため、使用後のペットシーツ１０２を、ペット用マット１０１から取り外し、新しいペットシーツ１０２を取り付けることができる。
【００４４】
よって、ペット用マット１０１に固定されるペットシーツ１０２を繰り返し交換することができるとともに、その固定性を維持することができる。
【００４５】
また、前記ベース１２１は発泡材である発泡ポリエチレンで構成されており、該ベース１２１と前記粘着部１２４との間には、アルミ蒸着層１２２が形成されている。このため、前記ベース１２１によって保温性を高めることができるとともに、前記アルミ蒸着層１２２によってペットからの放射熱を反射することができる。さらに、下面側のアルミ蒸着層１２２によって、前記ベース１２１と敷設箇所間を断熱することができる。
【００４６】
したがって、このペット用マット１０１を、保温用マットとして利用することもできる。
【００４７】
【発明の効果】
以上説明したように、本発明の請求項１のペットシーツにあっては、吸収体で吸収保持した水分の漏れを防止しつつ、敷設時の滑りを抑制することができる。
【００４８】
したがって、使用時の不用意なズレを抑えることができ、当該ペットシーツによる効果を十分に発揮することができる。
【００４９】
また、請求項２のペットシーツにおいては、底面の不織布に固定できる面ファスナー部を備えたテープを備えており、このテープの貼着部を対象箇所に貼着することで、当該ペットシーツの固定が可能となる。
【００５０】
このため、例えば平滑なトレイ上であっても、当該ペットシーツを固定することもできる。よって、底面が面ファスナーを固定することができない防水のフィルムで構成された従来と比較して、固定性を高めることができる。
【００５１】
そして、本発明の請求項３のペット用マットにあっては、ペットシーツを粘着部に貼着した状態で固定することができる。このため、ペットシーツの横滑りを防止することができる。
【００５２】
また、この粘着部は、単独で形状維持可能な材質からなるベースに設けられており、ペットがペットシーツ上で動いても、ペットシーツを広げた状態に維持することができる。
【００５３】
したがって、使用時の不用意なズレを防止することができ、ペットシーツによる効果を十分に発揮することができる。
【００５４】
また、請求項４のペット用マットにあっては、粘着部がウレタン系粘着剤で形成されており、この粘着部にペットシーツの貼着剥離を繰り返し行うことができる。よって、当該ペット用マットに固定されるペットシーツを繰り返し交換することができるとともに、その固定性を維持することができる。
【００５５】
さらに、請求項５のペット用マットでは、発泡材で構成されたベースによって保温性を高めることができるとともに、アルミ蒸着層によってペットからの放射熱を反射することができる。
【００５６】
したがって、このペット用マットを、保温用マットとして利用することもできる。
【図面の簡単な説明】
【図１】本発明の第１の実施の形態を示す平面図である。
【図２】同実施の形態の断面構造を示す模式図である。
【図３】本発明の第２の実施の形態を示す斜視図である。
【図４】同実施の形態の断面構造を示す模式図である。
【符号の説明】
１    ペットシーツ
１１    シーツ本体
１２    吸収体
２１    底部シート
２２    不織布
２３    防水フィルム
２４    底面
１０１    ペット用マット
１０２    ペットシーツ
１２１    ベース
１２２    アルミ蒸着層
１２４    粘着層
【図１】
2004187597.tif 000003
【図２】
2004187597.tif 000004
【図３】
2004187597.tif 000005
【図４】
2004187597.tif 000006